(57)【要約】      （修正有）【課題】シンプルな構造で足裏にあわせ変形可能でソフトな感触をもち、十分なマッサージ効果とセルフヒーリング効果を期待できる足裏健康マットを提供する。【解決手段】柔軟で伸縮性を持ち嚢体３に、砂等の粒物４を充填し、その嚢体３の表側１０全面又は一部に揺動クッション９を兼ねるラバースパイクシート６が一枚又は複数枚を縫製等で固定するか脱着可能に設けてあり、両面が使用できる。又、嚢体３が表側１０と裏側１１で異なる素材であり、砂等の粒物４を充填すると表側１０だけ膨らみ、裏側１１にはラバースパイクシート６が揺動クッション９用に固定されているが、表側１０の一部にも足裏刺激用にラバースパイクシート６が設置されており、表側１０のみ使用することもできる。更に嚢体３の中にトルマリンサンド１７を充填して、これを踏むことによる圧力及び摩擦、摩擦熱により空気のマイナスイオン１８化及び遠赤外線１９を放出する。【選択図】図１
2005253910.tif 000002
【特許請求の範囲】
【請求項１】
柔軟で伸縮性を持つ嚢体素材（２）を適宜な形状に加工したものを２枚重ねて周りを縫製又は接着等により嚢体（３）に形成し、さらにこの中に砂等の粒物（４）を充填した後、完全に密封したもので、その嚢体（３）の表側（１０）全面又は一部にラバースパイクシート（６）が一枚又は複数枚を熱圧着、接着、縫製等で完全に固定されるかもしくはマジックテープ（７）で脱着可能に設けられてあり、この面を上にして体重をかけて足（８）を乗せると上記のラバースパイクシート（６）は嚢体（３）の砂等の粒体（４）が圧されるのにあわせて容易に変形され、又、裏側（１１）を上にして同様に足（８）を乗せると体重により砂等の粒物（４）は圧され流動変形すると同時に上記のラバースパイクシート（６）のラバースパイク（５）が上下左右に動き倒れかつ戻る揺動クッション（９）となるように両面が使用できるよう構成されてなるラバースパイクを有する砂踏みマット（１）。
【請求項２】
嚢体（３）が表側（１０）と裏側（１１）で異なる素材にしてなるもので、表側（１０）は柔軟で伸縮性を持つ嚢体素材（２）、裏側（１１）は伸縮性を持たない嚢体素材（１２）を用い、砂等の粒物（４）を充填すると表側（１０）だけ膨らみ、裏側（１１）には袋状カバー（１５）に納められたラバースパイクシート（６）が揺動クッション（９）用にマジックテープ（７）で固定されているが、表側（１０）の一部にも足裏刺激用にラバースパイクシート（６）が設置されており、やおら表側（１０）のみ使用するように構成されてなる請求項１に記載されるラバースパイクを有する砂踏みマット（１）。
【請求項３】
単体もしくは複数の嚢体（３）をベースシート（１４）の縁付き凹部（１３）に落としこみマジックテープ（７）で袋状カバー（１５）に納められたラバースパイクシート（６）と固定できるようにしてなる請求項２に記載されるラベースパイクを有する砂踏みマット（１）。
【請求項４】
ベースシート（１４）から立ち上がる砂踏み運動使用者の転倒防止用の補助具（１６）を有するようにしてなる請求項３に記載されるラバースパイクを有する砂踏みマット（１）。
【請求項５】
嚢体（３）の中にトルマリンサンド（１７）を充填して、これを踏むことにより加えられる圧力及び摩擦、摩擦熱により空気のマイナスイオン（１８）化及び遠赤外線（１９）の放出を起こさせるようにしてなる請求項１、請求項２、請求項３及び請求項４記載のラバースパイクを有する砂踏みマット（１）。
【発明の詳細な説明】
【発明の詳細な説明】
【産業上の利用分野】
【０００１】  本発明は、砂等の粒物を使った足裏健康マットに係るものである。
【背景技術】
【０００２】  従来、足裏健康器具には、古くは青竹健康法に代表されるように多くの先人の知恵があった。足の裏には多くのツボがあるといわれ、足を刺激することは非常に健康に良いとされている。実際多くの人々がその効果について認めている。最近ではリフレクソロジー（反射療法）という自然療法が欧米から紹介され、同時にさまざまなフットケアが注目され、さまざまな商品も市中に出回っている。しかし、本発明の趣旨に照らして足裏健康マットに関してのみ述べると、足裏指圧マットもしくは足裏指圧パット、足裹マッサージマット器具を述べることに他ならない。この場合、自分の体重を利用するという条件も付けてみたい。この観点から足裏指圧の方法としては、感触がハードとソフトに大別される。ハードでは複数の堅い突起物を平面的に配置させこれに乗る方法は伝統的であり数知れずある。例えば自然石を埋め込んだ足踏みマット（特開平８−２４３０６）、網状に結節を設けこれを踏ませる健康特殊ネット（実開平４−７００２９）や、ツボの位置を印刷してその位置にピンを立てたものある。マットではないにしても箱などの容器に砂利など粒状物を入れ足踏みする方法や木製のバーを連続して並べこの上に乗るものや、ローラー状に回るものもある。マットやボードにコイルスプリングを利用する突起を設けたものもある。ソフトに足裏を刺激するものとしては発泡素材でマット部分と足裏刺激用突起が一体成形された（特開平１１−１３７６３０）、やはりソフトな突起付きマット（特公平１１−１３７６３０）など。泥状のポリマーを詰めたマットを歩く方法（特開２００１−８７３４３）もある。リハビリ用に都合よいように長く連接できるユニット型や、磁石を埋設するものヒーターを設けた複合的なものも多い。風呂の中で使用できるものもある。
【発明が解決しようとする課題】
【０００３】  従来の技術でも述べたように、足裏健康マットに類するものは各種多数あるが、総体的に感触がハードなものはツボ押しを意識するせいか刺激が強くて痛く、かと思えば、感触がソフトなものは特に痛くはないが刺激がマンネリ化してしまい効果が薄れることも多い。いずれも、足の裏の形状や疲労の状態は個人個人で異なるにも関わらずに平らな面上に適当に突起をデザインしている場合がほとんどで、需要が高いにもかかわらず購入してもすぐに使用しなくなってしまうことが多かったといえる。
【０００４】  本発明は、従来の技術の有するこのような問題点に鑑みてなされたものであり、その目的とするところは、シンプルな構造で足裏にあわせて変形可能でソフトな感触、しかも十分なマッサージ効果と従来にないセルフヒーリング効果も期待できるような足裏健康マットを広く提供することにある。
【課題を解決するための手段】
【０００５】  上記目的を達成するために本発明におけるラバースパイクを有する足踏み砂マットは、其の一は伸縮性のある嚢体中に砂等の粒物を充填して密封したものの片面に細長いスパイクを多数有するラバースパイクシートを固定もしくは脱着できるように設置する。嚢体の全体の大きさは、両足を軽く開いて立った時の幅が基本だが、およそ３５ｃｍから４０ｃｍ程度。但し、形状によってはこの限りではないが要は両足を乗せられることが重要である。形状は、平面でいうと円形、楕円形、ドーナツ型、角型、又はこれらの組合せでもよいが、くびれや湾曲部を設けると土ふまずや踵などへのマッサージ効果が高まる。いずれにしでも裏表を返して使用する機能であるから重量の関係を考慮して形状を決めねばならない。重量は中に充填する砂等の粒物で左右されるが、粒径は１ｍｍから２ｍｍの乾燥したもの、例えば珪砂、珊瑚砂、トルマリンサンド、ガーネットサンド、各種金属製ショット材、コーングリットや果実の種のグリット、穀類等が使用できるが腐敗したり錆びたり簡単に破砕したりするものは避ける。好みによってはブレンドしてもよい。特殊な砂、例えば泣き砂のような音がするものでもかまわないが、いずれも嚢体素材を傷つけやすい形状のものは避ける。充填の量は、嚢体を平らな場所に自然に置いて厚さが４ｃｍから５ｃｍになるようにする。体重をかけて嚢体を足で踏み込んだときに２ｃｍから３ｃｍ沈み込む程度の流動性と固さがあれば望ましい。仕上がりで３ｋｇ程度迄の重さが扱いやすいといえる。軽さを求めるならば樹脂ビーズが好ましい。重量は半分以下に押さえられるが、粒が揃いすぎると流動性が大きくなり使用感に好みがでることがある。あまり軽くないのが好ましい。嚢体の素材はウエットスーツのように通気性のある発泡ゴムを用いて伸縮性が大きくしかも破れにくい多層構造のもので厚さは３から４ｍｍ程度が感触がよい。表面はチタンコーティングが汚れにくく、できれば素材自体が抗菌消臭加工されたものがよい。嚢体は重量のある粒物が入るので単純な接着、溶着のみならず必ず縫製加工、しかも柔軟で強靱なテープ等を介在させて糸による嚢体の切れを防止する。ラバースパイクシートはシリコーンゴムを用いて金型により多数のスパイクを一体で形成する。シートの厚さは２ｍｍ程度で抗菌剤を練りこんだものが望ましい。スパイクは根元の直径が４ｍｍから５ｍｍ程度、高さは８ｍｍ程度の先の丸い砲弾形状をなすもので、スパイク密度は各スパイクの中心と中心が１０ｍｍの間隔で均等に離れるようにして、片足用にしても最低でも１５０本は設ける。硬度はＪＩＳ硬さで３０から４０の範囲とするが、これは足裏が感じる刺激と心地よさのバランスを考慮しているのと、反対に返してクッションとする時、適度な抵抗をもって揺れ倒れることで得られる踏み込み感とバランス感覚を体験させる目的からである。但し、部分的にあるいは分散的にスパイクの太さを変えたものもよい。このラバースパイクシートの形状も前記した条件を満たせば嚢体の形状にあわせてデザインすればよいが、少なくとも片方の足裏が６０％以上接触できるようにするのが望ましい。このラバースパイクシートの嚢体への取り付け方法だが、接着か嚢体に直接熱圧着、もしく���マジックテープによるものなどどれをとってもよい。接着をする場合はラバースパイクシートの裏面に伸縮性のある布を熱圧着にて貼りつけ接着しやすくする必要がある。マジックテープの場合は、糸による素材切れを防止する工夫をする。嚢体には模様がプリントされた表皮を用いると美麗である。さらには嚢体の汚れを防止する目的で簡単に脱着できるカバーがあってもよいが、このカバーの素材は洗いやすくしかも風合いがよいタオル地が好ましい。カバーは嚢体の形状にあわせてデザインされたものでも単純なスリーブ状でもよいが、嚢体の機能を阻害しないものが望ましい。嚢体への取り付け方は小型のマジックテープでもホックでもかまわないが足に触れたときに違和感及び皮膚を傷つけるようなものは避ける。カバーの素材に遠赤外線を放出する繊維やトルマリンを入れたマイナスイオン効果のあるものを使用してもよい。
【０００６】  ラバースパイクを有する砂踏みマットの其の二は、前に述べたそれが表裏両面使用することを機能としているのに対して片面のみを使用するもので、嚢体の断面形状は前述のそれが楕円形なのに対して半月状となる。つまり、嚢体の表側に柔軟で伸縮性を持つ素材を用い、裏側に伸縮性を持たない素材を使用するが、このように形成された嚢体のなかに砂等の粒体を充填すれば表側の素材が膨らみ断面が半月状になるわけで、裏面にはカバーに納められたラバースパイクシートがマジックテープで固定され揺動クッションとしてのみ機能する。但し、スパイクは床面に対して向くようにする。ラバースパイクシートのカバーはマチ付きでも通常の座布団カバー状のものでもよく、完全に封じるかファスナー付きでもかまわないが、納まりはタイトにし、素材は柔軟かつ丈夫であればよい。これは大型の嚢体もしくは複数並べて使用する場合には裏返す作業が大変になるからで、当然表側に前述の裏表の機能が要求されることになる。具体的にいうと、表側にラバースパイクシートが取り付けられる訳だが、一枚でも複数枚でもかまわない。要は、フラットな面が十分確保され同時にラバースパイクシートの面も必要分だけ確保されていればよい。形状もこの条件にあえば自由である。必然的に裏表使用するタイプに比べて大型になる。これもカバーを付けるのが好ましい。形状は其の一と同じ考え方でかまわない。
【０００７】  ラバースパイクを有する砂踏みマットの其の三は、其の二の嚢体を一つ又は複数個をデザインされた所定の位置に固定できるようにするもので、縁が立ち上がったベースシートに収められる。ベースシートは有皮で独立気泡のウレタンフォームシートもしくはポリエチレンフォームシート等を用い、真空成形もしくは圧空成形、又はホットプレスで加工される。嚢体が収納される縁付き凹部は縁の高さがラバースパイクより高くするが１２ｍｍから１５ｍｍ程度とする。凹部の底面にはマジックテープが数ヶ所付けられ、やはりラバースパイクシートを納めたカバーの底部に付けられたマジックテープと対応して固定できるようにする。ベースシートは、５から１０倍程度の低発泡倍率で、厚さが５ｍｍ程度の有皮シートか、もしくは伸縮性のある布地を両面にボンディングしたものを用いる。縁付き凹部の中には厚さ１ｍｍ程度の樹脂板を接着又はリベット留めで用いるとラバースパイクによる傷みを防止することができる。ベースシートの周縁は伸縮性のあるテープで挟んでミシンで縫い付ければ美麗だし補強にもなる。又、ベースシートは底に滑り止め用のシートを縫製又はボンディングしてもよい。ベースシートには印刷やマークの型押しも可能である。形状は嚢体の組合せで自由でかまわない。
【０００８】  ラバースパイクを有する砂踏みマットの其の四として、砂踏み運動すると揺れ動くのでバランスを失って転倒するのを防止するための補助具を有するもので、例えば、ベースシートから立ち上がる金属ベース付きのパイプの支柱及びハンドルからなり、ハンドルは使用者が周回できるように回転できる構造としてもよい。この場合の嚢体は、周回できるようにドーナツ状、あるいは円を描くように嚢体を複数配置する。この場合のベースマットは嚢体の配置にあわせて円形になる。補助具の固定はベースマットにネジで確実に留められるようにする。又、例えばパイプを用いてＴ字型に形成してベースシートに固定できるものでもよい。これは周回運動ではなく単に転倒防止の補助具として機能する。
【０００９】  ラバースパイクを有する砂踏みマットの其の五として、前述の嚢体にトルマリンサンドを用いれば、これは別名電気石といわれるものだが結晶に圧力や摩擦、熱などを受けると空気をマイナスイオン化させ、同時に遠赤外線をも放出する作用が期待できるのだが、なるべく上質のものを用いる。粒の大きさは粒径３ｍｍをこえないものを用いる。感触調整用に他の粒物を少量併用してもかまわない。
【００１０】  嚢体は丈夫であっても、あまり過大な重量には制限を設けるべきで、一応、目安として体重制限は１００Ｋｇ迄とするが、業務用やプロ仕様は使用条件が厳しいので仕様を別に設定する。さらには、感触には個人差があるので、中に充填される砂等の粒物の硬さや粒の大きさでタイプを分けるのも必要である。さらには、中に入れる粒物の素材によってもタイプは分けてもよい。
【０００１１】  ヒーリング効果の手段をといえば、海辺で柔らかな砂を踏みしめる時に感じるような粒体の優しさと、砂山を踏み崩すような一種の破壊感がそれにあたる。これは冬に霜柱を踏みしめた時や、浅い水溜まりに氷が張った時に思わず踏み壊したくなるあの感覚とよく似ている。人はどういうわけかあのような感覚に虜になるようで、一種のセルフヒーリングと考えられる。これを擬似的に体感できるように使用する素材等を選定するのが好ましい。泣き砂のように音を発するものも効果的である。香りがあるものもさらに好ましい。
【作用】
【０００１２】  以上のごとく考案された本発明のラバースパイクを有する砂踏みマット、請求項１に関していうと、柔軟で伸縮性を持つ嚢体に砂等の粒体が充填されさらには裏側にスパイクを多数持つラバースパイクシートが取り付けられているので、足裏の形状によくフィットし、ソフトな感触と優しい刺激の両面を利用できるし又、ラバースパイクシートが下になった場合には、多数のスパイクが交互にかかる体重で上下左右に動き倒れてかつ戻るという揺れ動き作用をなす。この作用がバランス感覚を高める運動をも自然になさしめる。
【０００１３】  請求項２に関していえば、嚢体の表側が柔軟で伸縮性を持つ素材で、裏側が伸縮性のない素材で形成されているので砂等の粒物を充填すると自然に表側が膨らむので専らこの表側を踏む面として使用するもので、表面にはフラットな面とラバースパイクシートが取り付けられているので引っくり返す必要はなく、素早く異なる面を選択でき、又、裏側には袋状カバーに納められたラバースパイクシートが取り付けられているので専ら揺れ動き作用をなす。この袋状カバーは柔らかな床面、例えば畳などの傷つき防止の作用を有する。
【０００１４】  請求項３に関していえば、単体もしくは複数の嚢体がマジックテープでベースシートの所定位置に安定的に固定できる作用を有する。
【０００１５】  請求項４に関していえば、支柱によって使用者がバランスを失って転倒等を防止する作用がある。
【０００１６】  請求項５に関していえば、前述の諸作用に加えてマイナスイオン発生と遠赤外線放出作用があるが、これは足踏みすることでトルマリンサンドに圧力や摩擦熱を発生させることでもたらされる。
【実施例】
【０００１７】  実施例について図面を参照して説明する。
図１、図２において、嚢体３はウエットスーツに使用される４ｍｍ程度の多層構造の発泡ゴムシートを用いるが、これをさまざまなデザインに供するために打ち抜きカットし、ミシンで充填用開口部を残して嚢体３に加工する。形状は角の丸い枕状にされているが幅は２５ｃｍ、長さは４０ｃｍ程度、厚みは平に置いた負荷なしの状態でおよそ７ｃｍ程度を目安とする。裏側１１と表側１２は同じ形にしてある。片面にはラバースパイクシート６が２枚縫製されているが、ラバースパイクシート６の裏側には強度を増すために布地が裏打ちされている。ラバースパイクシート６は金型で多数のラバースパイク５を形成するが、ＪＩＳ硬さで３０から４０程度のシリコーンゴムを用いる。シート部分の厚さは２ｍｍ程度で、先の丸い砲弾型のラバースパイク５を１０ｍｍの等間隔で形成する。ラバースパイク５は根元の直径４ｍｍ、高さ８ｍｍ程度であるが、やや刺激を求めるならば適当な配置でこれらより太いラバースパイク５を形成してもよい。ラバースパイクシート６の幅は１５ｃｍ程度で間を少しあけて全周囲を縫製する。縫製のためにラバースパイクシート６には縁に２ｃｍ程度の縫製代を設ける。嚢体３に加工された開口部から砂等の粒物４を充填してミシンで閉じ、最後に柔軟性のある丈夫なテープで嚢体３の合わせ目を被せて縫製し、完全に密閉する。砂等の粒物４は図１、図２においては粒径２ｍｍ程度の乾燥した錆びたり腐敗したりしない無機質の物を充填するが、全体重量を２、５〜３Ｋｇにするために砂等の単体のみならず他の粒物を併用してもよい。嚢体３の素材及びラバースパイクシート６には抗菌消臭剤を練りこんだものを用いてもよい。【０００１８】  図３、図４、図５、図６において、嚢体３は表側１０と裏側１１で異なる素材を用いる。表側は図１、図２と同様のウエットスーツ用素材を用い、裏側１１はカンバスのような丈夫な生地を用い図１、図２同様に嚢体に形成し、開口部から砂等の粒物４を充填し縫製で仕上げるのも同様である。高さはやはり７ｃｍ程度になるようにする。表側の嚢体１０の生地には図１及び図２でも使用されるラバースパイクシート６を１枚から２枚縫製かマジックテープ７で固定する。裏側１１では、袋状カバー１５に納められたラバースパイクシート６がマジックテープで留められるか、又はデザインにあわせて金型で形成されたラバースパイクシート６が袋状カバー１５に納められて揺動クッション９となってそれぞれの裏側１１に固定される。【０００１９】  さらに図４、図５では、ベースシート１４は高強度で低発泡のウレタンフォームを用い、真空成形もしくは圧空成形で嚢体のデザインにあわせて嚢体を収納する縁付き凹部１３複数を有するもので、縁の高さは１５ｍｍから１８ｍｍ程度にする。この縁付き凹部１３には揺動クッション９の底と固定できるようにマジックテープ７が複数設置される。なお、傷つき防止のために１ｍｍ程度の樹脂板を凹部に設置してもよい。又、ベースシート１４の底にはカーペット様のシートを裏打ちしてもよい。図５のように嚢体の一部は表側１０にラバースパイクシート６を設けないものを設置してもかまわない。この場合、中に充填される砂等の粒物４は他の嚢体と異なるものを使用してもよい。【００��２０】  図６においては、ドーナツ状の嚢体３をベースシート１４に設置したもので、そのドーナツの穴の部分に台座のある転倒防止用の補助具１６が取り付けられていて、裏打ちされたベースシート１４とはネジなどでしっかり固定される。転倒防止用の上部にはＴ字型の回転できるハンドルがついていて高さも調整できる。ラバースパイクシート６は２から３ヵ所に設置する。【０００２１】  図７と図８は、嚢体の中に、特にトルマリンサンド１７を入れたもので、基本的には図１および図２と同様である。
【発明の効果】
【０００２２】  本発明は、上述の通り構成されているので、次に記載する効果を奏する。
【０００２３】  請求項１記載のラバースパイクを有する砂踏みマットは、ソフトと優しい刺激を持つ両面が使用できるのでコンパクトにでき、マッサージ効果のみならず、ヒーリング効果もあり、かつバランス運動もできるので男女年令を問わず飽きずに使用できるという有用性を持つ。
【０００２４】  請求項２に関していえば、専ら表側だけで２種類の異なる感触を楽しめ、引っ繰り返す必要もなく大型化にも対応できて有用である。
【０００２５】  請求項３に関していえば、複数の嚢体の安定的なセットが可能で応用性に富んでいて使用方法に広がりが考えられ、かつ床面に優しいので有用である。
【０００２６】  請求項４に関していえば、高齢者やリハビリテーション用として安全で有用である。
【０００２７】  請求項５に関していえば、諸作用に加えてトルマリンの特異な作用を効果的に活用できる新しい手段として有用である。
【図面の簡単な説明】
【図１】  請求項１に記載されるラバースパイクを有する砂踏みマット。
【図２】  請求項１に記載されるラバースパイクを有する砂踏みマットの嚢体断面図。
【図３】  請求項２に記載されるラバースパイクを有する砂踏みマットの嚢体等の断面図。
【図４】  請求項３に記載されるラバースパイクを有する砂踏みマットのベースシートの断面図。
【図５】  請求項３に記載されるラバースパイクを有する砂踏みマットの斜視図。
【図６】  請求項４に記載されるラバースパイクを有する砂踏みマットの斜視図。
【図７】  請求項５に記載されるラバースパイクを有する砂踏みマットの嚢体断面図。
【図８】  請求項５に記載されるラバースパイクを有する砂踏みマットの斜視図。
【符号の説明】
１  ラバースパイクを有する砂踏みマット
２  柔軟で伸縮性を持つ嚢体素材
３  嚢体
４  砂等の粒物
５  ラバースパイク
６  ラバースパイクシート
７  マジックテープ
８  足
９  揺動クッション
１０  表側
１１  裏側
１２  伸縮性を持たない嚢体素材
１３  縁付き凹部
１４  ベースシート
１５  袋状カバー
１６  転倒防止用の補助具
１７  トルマリンサンド
１８  マイナスイオン
１９  遠赤外線
【図１】
2005253910.tif 000003
【図２】
2005253910.tif 000004
【図３】
2005253910.tif 000005
【図４】
2005253910.tif 000006
【図５】
2005253910.tif 000007
【図６】
2005253910.tif 000008
【図７】
2005253910.tif 000009
【図８】
2005253910.tif 000010